(57)【特許請求の範囲】
【請求項１】
マルチチャンネル光電子サブアセンブリであって、
基板上に位置する複数の光電子変換器を含むマルチチャンネルヘッダサブアセンブリであって、前記光電子変換器の少なくとも１つは、１つのチャンネルに対応する光信号を送信する、又は受信する、或いはその両方を行うように構成されている、マルチチャンネルヘッダサブアセンブリと、
ハウジングキャビティを画定し、且つ、光透過性部分を含むハウジングであって、前記複数の光電子変換器がハウジングキャビティ内に位置するように前記基板に対して気密的に封止されているハウジングと、
光ファイバを保持し、且つ、円筒状のフェルール本体と、光ファイバ及びフェルール本体の一部分を囲むブーツとを備えているフェルールアセンブリと、
スリーブキャビティを画定する円筒状のアライメントスリーブであって、前記ハウジングに接して配置されているスリーブ底部を有しており、前記フェルール本体がスリーブキャビティの内部に配置されているときにアライメントスリーブに対して長手方向及び回転方向に位置変更されるように、スリーブキャビティが前記フェルール本体を受け入れるような大きさ及び形状を有している、アライメントスリーブと、
を含む、マルチチャンネル光電子サブアセンブリ。
【請求項２】
前記ハウジングは、前記光電子変換器を有する前記ヘッダサブアセンブリに結合されており、前記光電子変換器は、前記ハウジングが前記光電子変換器を気密的に封止するように少なくとも部分的に前記ハウジングキャビティ内に配置されている、請求項１に記載のマルチチャンネル光電子サブアセンブリ。
【請求項３】
前記ハウジングは、前記ハウジングの光透過性部分に複数のレンズを有するレンズアレイを更に含み、前記レンズは前記ハウジングの光透過性凸面である、請求項２に記載のマルチチャンネル光電子サブアセンブリ。
【請求項４】
前記ハウジングの光透過性部分上に配置された光学部品を更に含み、前記光学部品は、アイソレータ、プリズム、ミラー又はフィルタの１つ以上を含む、請求項１に記載のマルチチャンネル光電子サブアセンブリ。
【請求項５】
前記フェルールアセンブリは、前記フェルール本体によって少なくとも部分的に囲まれた上部クランプ部材及び下部クランプ部材を含む、請求項１に記載のマルチチャンネル光電子サブアセンブリ。
【請求項６】
前記フェルール本体は前記スリーブキャビティの内部に配置されているとともに、前記アライメントスリーブに固定されており、前記アライメントスリーブは前記ハウジングに固定されている、請求項１に記載のマルチチャンネル光電子サブアセンブリ。
【請求項７】
前記光電子変換器は、受信器アレイを形成している受信器又はレーザアレイを形成しているレーザであり、前記光電子変換器は、前記ハウジングの光透過性部分及び前記光ファイバと光学的に位置合わせされている、請求項６に記載のマルチチャンネル光電子サブアセンブリ。
【請求項８】
前記アライメントスリーブは、前記ハウジングに接して配置されているフランジを備えており、該フランジは前記アライメントスリーブが前記ハウジング内に挿入されるのを防止するような形状である、請求項１に記載のマルチチャンネル光電子サブアセンブリ。
【請求項９】
マルチチャンネル光電子サブアセンブリであって、
受信器光電子サブアセンブリ（「ＲＯＳＡ」）であって、第１の基板上に位置する受信器を有するＲＯＳＡヘッダと、前記ＲＯＳＡヘッダの基板に対して気密的に封止され、且つ、ＲＯＳＡハウジングキャビティ内に前記受信器を気密的に封止するＲＯＳＡハウジングであって、前記受信器を気密的に封止するとともに、光学信号を前記受信器に移動させることができる第１の光透過性部分を含む、ＲＯＳＡハウジングと、を含む受信器光電子サブアセンブリと、
送信器光電子サブアセンブリ（「ＴＯＳＡ」）であって、第２の基板上に位置する送信器を有するＴＯＳＡヘッダと、前記ＴＯＳＡヘッダの基板に対して気密的に封止され、且つ、前記送信器をＴＯＳＡハウジングキャビティ内に気密的に封止するＴＯＳＡハウジングであって、前記送信器を気密的に封止するとともに、光学信号を前記送信器から移動させることができる第２の光透過性部分を含む、ＴＯＳＡハウジングと、を含む送信器光電子サブアセンブリと、
第１の光ファイバを保持し、且つ、円筒状の第１のフェルール本体と、前記第１の光ファイバ及び第１のフェルール本体の一部分を囲む第１のブーツとを備えている第１のフェルールアセンブリと、
第２の光ファイバを保持し、且つ、円筒状の第２のフェルール本体と、前記第２の光ファイバ及び第２のフェルール本体の一部分を囲む第２のブーツとを備えている第２のフェルールアセンブリと、
第１のスリーブキャビティを画定する円筒状の第１のアライメントスリーブであって、前記ＲＯＳＡハウジングに接して配置されており、前記第１のフェルール本体が、第１のスリーブキャビティの内部に配置されているときに第１のアライメントスリーブに対して第１の長手方向及び第１の回転方向に位置変更されるように、第１のスリーブキャビティが第１のフェルールアセンブリを受け入れるような大きさ及び形状である、第１のアライメントスリーブと、
第２のスリーブキャビティを画定する円筒状の第２のアライメントスリーブであって、前記ＴＯＳＡハウジングに接して配置されており、前記第２のフェルール本体が、第２のスリーブキャビティの内部に配置されているときに第２のアライメントスリーブに対して第２の長手方向及び第２の回転方向に位置変更されるように、第２のスリーブキャビティが前記第２のフェルールアセンブリを受け入れるような大きさ及び形状である、第２のアライメントスリーブと、
を含む、マルチチャンネル光電子サブアセンブリ。
【請求項１０】
前記第１の光透過性部分又は前記第２の光透過性部分或いはその両方の上に複数のレンズを有するレンズアレイを更に含み、前記レンズは、前記ＲＯＳＡハウジング又は前記ＴＯＳＡハウジング或いはその両方の光透過性凸面である、請求項９に記載のマルチチャンネル光電子サブアセンブリ。
【請求項１１】
前記第１のフェルールアセンブリは前記第１のスリーブキャビティの内部に配置されているとともに、前記第１のアライメントスリーブに固定されており、前記第２のフェルールアセンブリは前記第２のスリーブキャビティの内部に配置されているとともに、前記第２のアライメントスリーブに固定されている、請求項９に記載のマルチチャンネル光電子サブアセンブリ。
【請求項１２】
前記受信器又は前記送信器は前記レンズアレイと光学的に結合されている、請求項１０に記載のマルチチャンネル光電子サブアセンブリ。
【請求項１３】
受信器光電子サブアセンブリ（「ＲＯＳＡ」）ハウジングをＲＯＳＡヘッダに結合して、第１の基板上に配置された１つ又は複数の受信器をＲＯＳＡハウジングキャビティ内に気密的に封止するステップであって、前記ＲＯＳＡハウジングは第１の光透過性部分を含み、前記受信器は１つのチャンネルに対応する光信号を受信するように構成されている、ステップと、
送信器光電子サブアセンブリ（「ＴＯＳＡ」）ハウジングをＴＯＳＡヘッダに結合して、第２の基板上に配置された１つ又は複数の送信器をＴＯＳＡハウジングキャビティ内に気密的に封止するステップであって、前記ＴＯＳＡハウジングは第２の光透過性部分を含み、前記送信器は１つのチャンネルに対応する光信号を送信するように構成されている、ステップと、
第１の光ファイバを保持し、且つ、円筒状の第１のフェルール本体と、前記第１の光ファイバ及び第１のフェルール本体の一部分を囲む第１のブーツとを備えている第１のフェルールアセンブリを、前記第１のフェルールアセンブリを受け入れるような大きさ及び形状を有する第１のアライメントスリーブの第１のスリーブキャビティの内部に配置するステップと、
前記第１のアライメントスリーブを前記ＲＯＳＡハウジング及び前記ＴＯＳＡハウジングの少なくとも一方に接して配置するステップと、
前記受信器又は前記送信器の少なくとも１つと前記第１の光ファイバの少なくとも１つとを光学的に位置合わせするために、前記第１のフェルールアセンブリが前記第１のスリーブキャビティの内部に配置されているときに、前記第１のアライメントスリーブに対して前記第１のフェルールアセンブリを回転方向及び長手方向に配置するステップと、
を含む、方法。
【請求項１４】
第２の光ファイバを保持し、且つ、円筒状の第２のフェルール本体と、前記第２の光ファイバ及び第２のフェルール本体の一部分を囲む第２のブーツとを備えている第２のフェルールアセンブリを、前記第２のフェルールアセンブリを受け入れるような大きさ及び形状の第２のアライメントスリーブの第２のスリーブキャビティの内部に配置するステップを更に含む、請求項１３に記載の方法。
【請求項１５】
前記受信器又は前記送信器の少なくとも別の１つと前記第２の光ファイバの少なくとも１つとを光学的に位置合わせするために、前記第２のアライメントスリーブに対して前記第２のフェルールアセンブリを回転方向及び長手方向に配置するステップと、を更に含む、請求項１４に記載の方法。
【請求項１６】
前記第１のフェルールアセンブリを前記第１のアライメントスリーブに固定するステップと、前記第２のフェルールアセンブリを前記第２のアライメントスリーブに固定するステップと、を更に含む、請求項１５に記載の方法。
【請求項１７】
前記受信器のそれぞれを前記第１の光ファイバの１つと光学的に位置合わせするステップと、前記送信器のそれぞれを前記第２の光ファイバの１つと光学的に位置合わせするステップと、
前記第１のアライメントスリーブを前記ＲＯＳＡハウジングに固定するステップと、前記第２のアライメントスリーブを前記ＴＯＳＡハウジングに固定するステップと、
を更に含む、請求項１６に記載の方法。
【発明の詳細な説明】
【技術分野】
【０００１】
本開示は、光信号を用いてネットワーク上でデータを送信する高速光ファイバネットワークに関する。
【背景技術】
【０００２】
光ファイバネットワークは、銅線ベースのネットワークなどの他のタイプのネットワークに比べて様々な利点を有する。多くの既存の銅線ネットワークは銅線技術のほぼ最大可能データ転送速度及びほぼ最大可能距離で動作する。光ファイバネットワークは、銅線ネットワークで可能な距離よりも更に遠くの距離にわたってデータをより高速で確実に送信することができる。
【０００３】
請求項に記載される主題は、任意の欠点を解決する構成又は上記のような環境でのみ動作する構成に限定されるものではない。本背景技術は、単に本開示が用いられ得る例を示すために提供するものである。
【発明の概要】
【発明が解決しようとする課題】
【０００４】
本発明の目的は、上記した光ファイバネットワークに関して、より向上させたマルチチャンネル光電子サブアセンブリを提供することにある。
【課題を解決するための手段】
【０００５】
一例では、マルチチャンネル光電子サブアセンブリは、基板上に複数の光電子変換器を有するマルチチャンネルヘッダサブアセンブリと、ハウジングキャビティを画定し、光透過性部分を含むハウジングと、光ファイバを保持しているフェルールアセンブリと、フェルールアセンブリを受け入れるような大きさ及び形状のスリーブキャビティを有するアライメントスリーブと、を含んでもよい。光電子変換器の少なくとも１つは、１つのチャンネルに対応する光学信号を送信する及び／又は受信するように構成されていてもよい。
【０００６】
別の例では、マルチチャンネル光電子サブアセンブリは、第１の基板上に受信器を有するＲＯＳＡヘッダと、ＲＯＳＡヘッダに結合されており、ＲＯＳＡハウジングキャビティ内に受信器を少なくとも部分的に封入してもよいＲＯＳＡハウジングと、を含むＲＯＳＡと、第２の基板上に送信器を有するＴＯＳＡヘッダと、ＴＯＳＡヘッダに結合されており、ＲＯＳＡハウジングキャビティ内に送信器を少なくとも部分的に封入してもよいＴＯＳＡハウジングと、を含むＴＯＳＡと、第１の光ファイバを保持してもよい第１のフェルールアセンブリ及び第２の光ファイバを保持している第２のフェルールアセンブリと、第１のフェルールアセンブリを受け入れるような大きさ及び形状の第１のスリーブキャビティを有する第１のアライメントスリーブと、第２のフェルールアセンブリを受け入れるような大きさ及び形状の第２のスリーブキャビティを有する第２のアライメントスリーブと、を含んでもよい。
【０００７】
更に別の例では、方法は、受信器を含んでいてもよいＲＯＳＡヘッダを第１の基板上に設けるステップであって、受信器の少なくとも１つは、１つのチャンネルに対応する光学信号を受信するように構成されていてもよい、ステップと、ＲＯＳＡハウジングキャビティを画定し、第１の光透過性部分を含むＲＯＳＡハウジングを設けるステップと、送信器を含んでいてもよいＴＯＳＡヘッダを第２の基板上に設けるステップであって、送信器の少なくとも１つは１つのチャンネルに対応する光学信号を送信するように構成されていてもよい、ステップと、ＴＯＳＡハウジングキャビティを画定し、第２の光透過性部分を含むＴＯＳＡハウジングを設けるステップと、第１の光ファイバを保持している第１のフェルールアセンブリと第２の光ファイバを保持している第２のフェルールアセンブリとを設けるステップと、第１のフェルールアセンブリを受け入れるような大きさ及び形状の第１のスリーブキャビティを有する第１のアライメントスリーブと、第２のフェルールアセンブリを受け入れるような大きさ及び形状の第２のスリーブキャビティを有する第２のアライメントスリーブとを設けるステップと、を含んでもよい。
【０００８】
この発明の概要は、以下、詳細な説明で更に記載する概念から選択したものを簡略化した形態で紹介するために提供するものである。この発明の概要は、開示される対象の主要な特徴又は必須の特性を特定することを目的とするものでも、特許請求の範囲の決定を補助するものとして使用することを目的とするものでもない。更なる特徴及び利点については以下の記載で説明され、その一部は記載から明らかとなる又は実施によって習得され得る。
【図面の簡単な説明】
【０００９】
【図１Ａ】光電子アセンブリの一実施形態の斜視図である。
【図１Ｂ】図１Ａの光電子アセンブリの別の斜視図である。
【図２Ａ】ヘッダサブアセンブリの一実施形態の斜視図である。
【図２Ｂ】図２Ａのヘッダサブアセンブリの頂面図である。
【図２Ｃ】図２Ａのヘッダサブアセンブリの底面図である。
【図３Ａ】ヘッダサブアセンブリの一実施形態の斜視図である。
【図３Ｂ】図３Ａのヘッダサブアセンブリの頂面図である。
【図３Ｃ】図３Ａのヘッダサブアセンブリの底面図である。
【図４Ａ】ハウジングの一実施形態の斜視図である。
【図４Ｂ】図４Ａのハウジングの側断面図である。
【図５Ａ】ハウジングの一実施形態の斜視図である。
【図５Ｂ】図５Ａのハウジングの側断面図である。
【図６Ａ】ハウジングの一実施形態の斜視図である。
【図６Ｂ】図６Ａのハウジングの側断面図である。
【図７Ａ】フェルールアセンブリの一部分の一実施形態の斜視図である。
【図７Ｂ】図７Ａのフェルールアセンブリの一部分の一実施形態の分解斜視図である。
【図７Ｃ】フェルールアセンブリの一部分の一実施形態の斜視図である。
【図８Ａ】光電子サブアセンブリの一実施形態の斜視図である。
【図８Ｂ】図８Ａの光電子サブアセンブリの分解斜視図である。
【図８Ｃ】図８Ａの光電子サブアセンブリの側面図である。
【図８Ｄ】図８Ａの光電子サブアセンブリの側断面図である。
【図９Ａ】光電子サブアセンブリの一実施形態の斜視図である。
【図９Ｂ】図９Ａの光電子サブアセンブリの側断面図である。
【図１０Ａ】コネクタサブアセンブリの一実施形態の斜視図である。
【図１０Ｂ】図１０Ａのコネクタサブアセンブリの別の斜視図である。
【発明を実施するための形態】
【００１０】
図面を参照し、特定の言語を用いて本開示の種々の態様を記載する。図面及び明細書のこのような使用は、本開示の範囲を限定するものと解釈すべきではない。更なる態様は特許請求の範囲を含む本開示の観点から明らかであろう、又は実施により習得され得る。
【００１１】
以下の説明及び特許請求の範囲で使用される用語及び語は文献的意味に限定されず、単に本開示の明確且つ一貫した理解を可能にするために用いられる。文脈で別段の明確な指示がない限り、単数形「１つの（ａ）」、「１つの（ａｎ）」及び「その（ｔｈｅ）」は複数形の指示対象を含むことは理解すべきである。したがって、例えば、「部品表面（ａ  ｃｏｍｐｏｎｅｎｔ  ｓｕｒｆａｃｅ）」を参照した場合、１つ以上のこのような表面の参照を含む。
【００１２】
「実質的に（ｓｕｂｓｔａｎｔｉａｌｌｙ）」という用語は、列挙する特性、パラメータ又は値を正確に実現する必要はなく、例えば、公差、測定誤差、測定精度限界及び当業者に既知の他の因子を含む逸脱又は変動が、特性が提供しようとする効果を妨げない量で発生することを意味する。
【００１３】
「光電子サブアセンブリ（ｏｐｔｏｅｌｅｃｔｒｏｎｉｃ  ｓｕｂａｓｓｅｍｂｌｙ）」という用語は、光電子アセンブリの任意の部分を参照するために用いられる。しかしながら、時として、本開示では、「光電子サブアセンブリ」を、文脈で示されるように、光電子アセンブリの特定部分を参照するために使用する場合がある。
【００１４】
高速光ファイバネットワークは光信号（「光学信号」とも称される）を用いてネットワーク上でデータを送信する。光ファイバネットワークは、銅線ベースのネットワークなどの他のタイプのネットワークに比べて様々な利点を有する。多くの既存の銅線ネットワークは銅線技術のほぼ最大可能データ転送速度及びほぼ最大可能距離で動作する。光ファイバネットワークは、銅線ネットワークで可能な距離よりも更に遠くの距離にわたってデータをより高速で確実に送信することができる。
【００１５】
光ファイバネットワークでは光学信号を用いてデータを運ぶが、コンピュータなどの多くの電子デバイス及び他のネットワークデバイスでは電気信号を用いている。光電子アセンブリは、電気信号を光学信号に変換するために、光学信号を電気信号に変換するために、又は電気信号を光学信号に、光学信号を電気信号に変換するために使用することができる。
【００１６】
図１Ａ〜図１Ｂは、光電子アセンブリ５００の一例を示す。光電子アセンブリ５００の態様（以下、更に詳細に記載する）は光電子アセンブリ５００の経済的な製造を促進することができる。例えば、光電子アセンブリ５００のいくつかの態様は、光電子アセンブリ５００に関するアライメント及び／又はアセンブリ工程を簡略化することができる。追加的又は代替的に、光電子アセンブリ５００の態様は、光電子アセンブリ５００を製造するのに使用される材料のコストを低下させることができる。更に別の例では、光電子アセンブリ５００のいくつかの態様は、光電子アセンブリ５００の気密封止部分の必要寸法を低減することができる。追加的又は代替的に、光電子アセンブリ５００の態様は、光電子アセンブリ５００の大きさ又はクリアランスを低減することができる。
【００１７】
光電子アセンブリ５００は光電子サブアセンブリ（「ＯＳＡ」：ｏｐｔｏｅｌｅｃｔｒｏｎｉｃ  ｓｕｂａｓｓｅｍｂｌｙ）を含んでもよく、光電子サブアセンブリは、光電子アセンブリ５００のいずれかの部分を参照するために使用される。しかしながら、時として本開示では、文脈で示されるように、光電子アセンブリ５００の特定部分を参照するために「サブアセンブリ」を用いる場合がある。特に、光電子アセンブリ５００は、受信器光電子サブアセンブリ（「ＲＯＳＡ」：ｒｅｃｅｉｖｅｒ  ｏｐｔｏｅｌｅｃｔｒｏｎｉｃ  ｓｕｂａｓｓｅｍｂｌｙ）５５０及び／又は送信器光電子サブアセンブリ（「ＴＯＳＡ」：ｔｒａｎｓｍｉｔｔｅｒ  ｏｐｔｏｅｌｅｃｔｒｏｎｉｃ  ｓｕｂａｓｓｅｍｂｌｙ）５６０を含んでもよい。ＲＯＳＡ５５０は、光ファイバネットワークから光学信号を受信し、この光学信号を電気信号に変換するように構成されていてもよい。ＴＯＳＡ５６０は、電気信号を受信し、対応する光信号を光ファイバネットワークに送信するように構成されていてもよい。図示されている例では光電子アセンブリ５００はＴＯＳＡ５６０及びＲＯＳＡ５５０の両方を含むが、他の構成では、光電子アセンブリはＴＯＳＡ若しくはＲＯＳＡのいずれかを含んでもよく、又は１つの光電子サブアセンブリがＴＯＳＡ及びＲＯＳＡの両方であってもよい。
【００１８】
ＴＯＳＡ５６０は光ケーブル３０１ｂにフェルールアセンブリ３００ｂを介して結合されていてもよく、ＲＯＳＡ５５０は光ケーブル３０１ａにフェルールアセンブリ３００ａを介して結合されていてもよい（破線で示すように、図には光ケーブル３０１ａ−ｂの一部分のみを示す）。光学信号は、光ケーブル３０１ａ−ｂを通じてＴＯＳＡ５６０及びＲＯＳＡ５５０に並びに／又はＴＯＳＡ５６０及びＲＯＳＡ５５０から伝送されてもよい。フェルールアセンブリ３００ａ−ｂは、光ケーブル３０１ａ−ｂをＴＯＳＡ５６０及びＲＯＳＡ５５０と物理的に及び／又は光学的に結合してもよい。いくつかの構成では、フェルールアセンブリ３００ａ−ｂはＴＯＳＡ５６０及びＲＯＳＡ５５０の一部であってもよい。光ケーブル３０１ａ−ｂは、光電子アセンブリ５００を光ファイバネットワークの他の部品に結合するように構成されたコネクタサブアセンブリ５８０（図１０Ａ〜図１０Ｂ）に結合されていてもよい。
【００１９】
光電子アセンブリ５００は、光学部品及び／又は電子部品などの種々の部品を含んでもよい。光学部品は光学信号に関与し、光学信号を、例えば、放出しても、受信しても、送信しても、搬送しても、集束しても及び／又は平行化してもよい。電気部品は電気信号に関与し、電子信号を、例えば、受信しても、送信しても、搬送しても、転換しても、変換しても、調整しても及び／又は増幅してもよい。光電子部品は電気信号及び光学信号の両方に関与してもよく、変換器部品と呼ばれる。光電子部品は光学信号を電気信号に変換してもよい及び／又は電気信号を光学信号に変換してもよい（例えば、ダイオード又はレーザ）。
【００２０】
光電子アセンブリ５００は複数のチャンネルを含んでもよく、マルチチャンネル光電子アセンブリであってもよい。このような構成では、光電子アセンブリ５００の各チャンネルは光ケーブル３０１ａ−ｂの１つを移動する１つ以上の光信号一式に対応してもよい。図示されているように、光電子アセンブリ５００は、４つのチャンネルの信号を送信及び／又は受信することができる４チャンネル光電子アセンブリであってもよい。マルチチャンネル光電子アセンブリは光ファイバネットワークによる増加したデータ転送速度をサポートしてもよい。例えば、４チャンネル光電子アセンブリ５００は類似の単一チャンネル光電子アセンブリのデータ転送速度の約４倍のデータ転送速度でデータを送信及び受信することができる。
【００２１】
ＴＯＳＡ５６０はＴＯＳＡハウジング５４０に結合されたＴＯＳＡヘッダ５２０を含んでもよく、ＲＯＳＡ５５０はＲＯＳＡハウジング５３０に結合されたＲＯＳＡヘッダ５１０を含んでもよい。フェルールアセンブリ３００ａ−ｂは、光ケーブル３０１ａ−ｂを保持するように構成されていてもよく、光ケーブル３０１ａ−ｂの一部分を囲む各々のブーツ３３４ａ−ｂを含んでもよい。ＴＯＳＡハウジング５４０及びＲＯＳＡハウジング５３０はアライメントスリーブ３２０ａ及び３２０ｂによって各々のフェルールアセンブリ３００ａ−ｂに結合されていてもよい。光電子アセンブリ５００に関する更なる詳細については以下で更に詳細に説明する。
【００２２】
いくつかの構成では、光電子アセンブリ５００は、寸法、電力操作、コンポーネントインターフェース、動作波長又はその他の仕様などの光電子アセンブリの態様を規定する特定の規格に準拠する必要がある。このような規格の例としては、ＣＦＰ、ＸＡＵＩ、ＱＳＦＰ、ＱＳＦＰ＋、ＸＦＰ、ＳＦＰ及びＧＢＩＣが挙げられる。このような規格に準拠することで、構造、寸法、コスト、性能又は光電子アセンブリ設計の他の態様を制限する場合がある。このような規格は、フェルールアセンブリ３００ａ−ｂなどのフェルールアセンブリ及び／又はコネクタサブアセンブリ５８０の構成も制限する場合がある。
【００２３】
光電子アセンブリ５００又は光電子アセンブリ５００の一部分は大量に製造される場合があり、製造後の部品は、製造後の部品の種々の態様（例えば、形状、寸法及び／又は位置決め）を規定する仕様に準拠する必要がある。製造後の部品は、仕様の変動を含んでもよい。仕様のいくらかの変動は、製造後の部品が適切であるか又は適切に機能するという理由で可能とされる。仕様のいくらかの変動により不適当な部品となる場合がある。公差とは、仕様（例えば、寸法又は位置決め）の変動の許容量を意味する。一部の仕様は、より高い（「より広い」）又はより低い（「より厳しい」）公差を有してもよい。例えば、光電子サブアセンブリの外形寸法は、その変動が製造後の光電子サブアセンブリの動作に影響する可能性がないことから、より広い公差を有する。別の例では、位置決めは光学信号の集束及び／又は送信に影響することから、光学部品の位置決めにはより厳しい公差を必要とする場合がある。
【００２４】
選択する製造プロセスが変動の広がり及び程度に影響を及ぼす場合がある。いくつかの状況では、製造プロセスは、変動の範囲、変動の頻度若しくは他の側面を増加する又は減少するように制御してもよい。いくつかの状況においては、部品をより厳しい公差に製造することで製造コストが増加する場合がある（又は逆の場合も同様である）。例えば、厳しい公差の製造プロセスは広い公差の製造プロセスよりも費用がかかる場合がある。公差を厳しくすると不適当な部品が多くなることがある。不適当な部品は製造コストを回収することなく又は修理されることなく廃棄される場合があり、製造コストが増加する。製造プロセスは不適当な部品の製造を低減する又は排除するように変更してもよいが、いくつかの状況においては、これによりコストが増加する場合がある。
【００２５】
図２Ａ〜図２Ｃを参照し、ＲＯＳＡヘッダ５１０について更に詳細に記載する。ＲＯＳＡヘッダ５１０は、基板５１２と、基板５１２に結合された又は基板５１２上に形成された光電子部品５１４と、を含んでもよい。いくつかの構成では、基板５１２は、トップ層５１６とボトム層５１８との間に配置された中間層５１７を有する多層基板であってもよい。
【００２６】
光電子部品５１４は、ＲＯＳＡ及び／又は他の光電子サブアセンブリに使用される任意の適切な部品を含んでもよい。より具体的には、光電子部品５１４は、電気部品（例えば、集積回路、ドライバ、増幅器、コンデンサ、制御回路及び／又はその他）、光学部品（例えば、レンズ、プリズム、ミラー、フィルタ及び／又はその他）及び／又は１つ以上の受信器（例えば、受信器アレイ、フォトダイオード、フォトトランジスタ、フォトレジスタ、光検出器及び／又はその他）を含んでもよい。
【００２７】
光電子部品５１４は、光ファイバネットワークから光ケーブル３０１ａ及び／又はコネクタサブアセンブリ５８０を通じて光信号を受信するように構成されている。追加的又は代替的に、光電子部品５１４は、光学信号を電気信号に変換するように構成されていてもよく、よって、光電子変換器であってもよい。図示されているように、いくつかの構成では、光電子部品５１４は、受信器アレイ５５２、集積回路５５４及び／又は電気部品５５６ａ、５５６ｂ、５５６ｃ、５５６ｄを含んでもよい。電気部品５５６ａ−ｄは、集積回路、制御回路、ドライバ、増幅器、インダクタ、コンデンサ及び／又は他の適切な光電子部品を含んでもよい。いくつかの構成では、５５６ａ−ｄなどの電気部品はボトム層５１８上に配置されていてもよい。受信器アレイ５５２は、光学信号を受信し、この光学信号を対応する電気信号に変換するように構成されていてもよい。いくつかの構成では、受信器アレイ５５２は複数の受信器を含み、そのそれぞれは１つのチャンネルに対応する光信号一式を受信することが可能である。
【００２８】
光電子部品５１４（例えば、受信器アレイ５５２、集積回路５５４及び／又は電気部品５５６ａ−ｄ）のいくつか又はすべては、互いに電気的に又は光学的に結合されていてもよい。例えば、光電子部品５１４は、以下で更に詳細に説明するように、信号線５５７、コンタクトパッド５５８、ビア５５９、ワイヤボンド又は他の適切な相互接続によって互いに結合されていてもよい。いくつかの構成では、中間層５１７は、厚膜メタライゼーションによって形成された導電材料の厚膜トレースを含んでもよい。
【００２９】
信号線５５７はトップ層５１６上に配置されていてもよく、光電子部品５１４の少なくともいくつかを結合するために導電材料で形成されていてもよい。信号線５５７は、厚膜メタライゼーションによって形成された厚膜信号線５５７であってもよい。コンタクトパッド５５８はボトム層５１８上に配置されていてもよく、電力及び／若しくは制御信号をＲＯＳＡヘッダ５１０並びに／又は光電子部品５１４に送信することを可能とするために導電材料で形成されていてもよい。コンタクトパッド５５８は、フレックス回路、プリント回路基板（「ＰＣＢ」）、他のコネクタ及び／又は電子的なサブアセンブリに係合することが可能であってもよい。コンタクトパッド５５８は、厚膜メタライゼーションによって形成された厚膜コンタクトパッド５５８であっても、薄膜メタライゼーションによって形成された薄膜コンタクトパッド５５８であってもよい。
【００３０】
導電材料のビア（ｖｉａ）５５９（図では明確化のためにそのいくつかのみに符号を付す）が基板５１２の一部分内に延在してもよい。例えば、ビア５５９の１つ以上は、ボトム層５１８、中間層５１７の少なくとも１つ及び／又はトップ層５１６の１つ以上内に延在してもよい（例えば図９Ｂを参照）。ビア５５９のいくつかは、コンタクトパッド５５８、信号線５５７及び／又は光電子部品５１４に電気的に結合されていてもよい。ビア５５９はコンタクトパッド５５８、信号線５５７及び／又は光電子部品５１４間において電力及び／又は制御信号を伝えることを可能にする。
【００３１】
図３Ａ〜図３Ｃを参照し、ＴＯＳＡヘッダ５２０について更に詳細に記載する。ＴＯＳＡヘッダ５２０は、基板５２２と、基板５２２に結合された又は基板５２２上に形成された光電子部品５２４と、を含んでもよい。いくつかの構成では、基板５２２は、トップ層５２６とボトム層５２８との間に配置された中間層５２７を有する多層基板であってもよい。
【００３２】
光電子部品５２４は、ＴＯＳＡ及び／又は他の光電子サブアセンブリに使用される任意の適切な部品を含んでもよい。より具体的には、光電子部品５２４は、電気部品（例えば、集積回路、ドライバ、増幅器、コンデンサ、インダクタ、制御回路及び／又はその他）、光学部品（例えば、レンズ、プリズム、ミラー、フィルタ及び／又はその他）、１つ以上の光学送信器（例えば、レーザ、レーザアレイ、レーザダイオード、発光ダイオード及び／又はその他）及び／又は１つ以上の受信器（例えば、モニタフォトダイオード「ＭＰＤ：ｍｏｎｉｔｏｒ  ｐｈｏｔｏｄｉｏｄｅ」、ＭＰＤアレイ及び／又はその他）を含んでもよい。光電子部品５２４は、電気信号を光学信号に変換するように構成されていてもよく、ゆえに、光電子変換器であってもよい。追加的又は代替的に、光電子部品５２４は、光ケーブル３０１ａ及び／又は３０１ｂを通じて光ファイバネットワークに光学信号を送信するように構成されていてもよい。
【００３３】
図示されているように、いくつかの構成では、光電子部品５２４は、レーザアレイ５６２、ＭＰＤアレイ５２９（図３Ｂ）、集積回路５６４、電気部品５６５ａ−ｂ、電気部品５６６ａ−ｃ、光学部品５６１及び／又は部品カップリング５６３を含んでもよい。電気部品５６５ａ−ｂは、集積回路、制御回路、ドライバ、増幅器、インダクタ、コンデンサ及び／又は他の適切な光電子部品であってもよい。電気部品５６６ａ−ｃは、集積回路、制御回路、ドライバ、増幅器、インダクタ、コンデンサ及び／又は他の適切な光電子部品であってもよい。いくつかの構成では、電気部品５６５ａ−ｂ、５６６ａ−ｃなどの電気部品及び／又は集積回路５６４はボトム層５２８上に配置されていてもよい。電気部品５６５ａ−ｂ、５６６ａ−ｃのいくつか又はすべては、回路に供給される直流電圧をフィルタリングするためのコンデンサを含んでもよい。
【００３４】
レーザアレイ５６２は電気信号を受信し、この電気信号を対応する光学信号に変換する及び／又は光学信号を光ファイバネットワークに送信するように構成されていてもよい。いくつかの構成では、レーザアレイ５６２は複数のレーザを含み、そのそれぞれは、１つのチャンネルに対応する光信号一式を送信することが可能である。ＭＰＤアレイ５２９は、光信号の一部をレーザアレイ５６２から受信し、放出される光信号の特性のモニタリングを容易にするように構成されていてもよい。いくつかの構成では、光学部品５６１は光信号の一部をレーザアレイ５６２からＭＰＤアレイ５２９に誘導することが可能であってもよい。このような構成では、光学部品５６１は、ＭＰＤアレイ５２９に誘導されなかった光学信号を光ケーブル３０１ａ−ｂを通じて光ファイバネットワークに誘導するように構成されていてもよい。ＭＰＤアレイ５２９によって受信された光学信号は、フィードバック制御系においてレーザアレイ５６２の出力を調整するために使用されてもよい。電気部品５６５ａ−ｂ及び／又は電気部品５６６ａ−ｃはフィードバック制御系の一部であってもよく、ＭＰＤアレイ５２９に結合されていてもよい。
【００３５】
光学部品５６１は、レンズ、プリズム、ミラー、フィルタ及び／又は他の適切な特徴を含んでもよい。光学部品５６１は、レーザアレイ５６２によって放出された光学信号を伝達する、送信する、平行化する及び／又は集束するように構成されていてもよい。部品カップリング５６３は光電子部品５２４のいずれかを基板５２２に機械的に及び／又は電気的に結合してもよい。いくつかの構成では、部品カップリング５６３は光学部品５６１を基板５２２に機械的に接続してもよい。このような構成では、部品カップリング５６３は光学部品５６１をレーザアレイ５６２及び／又はＭＰＤアレイ５２９と光学的に位置合わせされた及び／又は接続された状態に維持してもよい。いくつかの構成では、部品カップリング５６３はレンズホルダであってもよい。部品カップリング５６３は、光学部品５６１の光学アライメント又は光学アライメントの調整を容易にする。
【００３６】
光電子部品５２４のいくつか又はすべては、互いに電気的に又は光学的に結合されていてもよい。例えば、光電子部品５２４は、信号線５６７、コンタクトパッド５６８、ビア５６９、ワイヤボンド又は他の適切な相互接続によって互いに電気的に結合されていてもよい。いくつかの構成では、中間層５２７は、厚膜メタライゼーションによって形成された導電材料の厚膜トレースを含んでもよい。
【００３７】
信号線５６７はトップ層５２６上に配置されていてもよく、光電子部品５２４の少なくともいくつかを接続するために導電材料で形成されていてもよい。信号線５６７の長さが実質的に又は相対的に短い場合、信号線５６７は、厚膜メタライゼーションによって形成された厚膜信号線５６７であってもよい。コンタクトパッド５６８はボトム層５２８上に配置されていてもよく、電力及び／若しくは制御信号をＴＯＳＡヘッダ５２０並びに／又は光電子部品５２４に送信することを可能とするために導電材料で形成されていてもよい。コンタクトパッド５６８は、フレックス回路、プリント回路基板（「ＰＣＢ」）、他のコネクタ及び／又は電子的なアセンブリに係合することが可能であってもよい。コンタクトパッド５６８は、厚膜メタライゼーションによって形成された厚膜コンタクトパッド５６８であっても、薄膜メタライゼーションによって形成された薄膜コンタクトパッド５６８であってもよい。導電材料のビア５６９（図では明確化のためにそのいくつかのみに符号を付す）が基板５２２の一部分内に延在してもよい。例えば、ビア５６９の１つ以上は、ボトム層５２８、中間層５２７の少なくとも１つ及び／又はトップ層５２６の１つ以上内に延在してもよい（例えば図８Ｄを参照）。ビア５６９のいくつかは、コンタクトパッド５６８、信号線５６７及び／又は光電子部品５２４に電気的に結合されていてもよい。ビア５６９は、コンタクトパッド５６８、信号線５６７及び／又は光電子部品５２４間において電力及び／又は制御信号が移動することを可能にする。
【００３８】
いくつかの光電子アセンブリでは、電子及び／又は高周波信号伝送線（「ＲＦ線」：ｒａｄｉｏ  ｆｒｅｑｕｅｎｃｙ  ｓｉｇｎａｌ  ｔｒａｎｓｍｉｓｓｉｏｎ  ｌｉｎｅｓ）は光電子アセンブリのレーザ又は他の部品を結合してもよい。ＲＦ線の電気性能（「ＲＦ性能」又は「ＲＦ応答」）は光電子アセンブリの動作にとって重要となり得る。ＲＦ線の寸法を正確に制御すること及び／又はＲＦ線の寸法を低減することは、適切な及び／又は良好なＲＦ性能を有する光電子アセンブリに寄与し得る。しかしながら、光電子アセンブリの部品の設計及び配置は、長さのあるＲＦ線が十分に制御される及び／又は最小化されるのを妨げる場合がある。ＲＦ線の電気性能は、１、２、４、１０、３０ギガビット毎秒（Ｇｂ／ｓ）以上で動作するものなど、比較的高周波の光電子アセンブリにとって特に重要となる。いくつかの構成では、光電子部品５１４及び／又は光電子部品５２４のいくつかはＲＦ線によって互いに接続されていてもよい。ＲＯＳＡヘッダ５１０のコンタクトパッド５５８、信号線５５７及び／若しくはビア５５９はＲＦ線であってもよい、並びに／又はＴＯＳＡヘッダ５２０のコンタクトパッド５６８、信号線５６７及び／若しくはビア５６９ＲＦ線であってもよい。
【００３９】
ＲＯＳＡヘッダ５１０及び／又はＴＯＳＡヘッダ５２０は、２０１４年１０月２８日に出願された、多層基板（ＭＵＬＴＩ−ＬＡＹＥＲ  ＳＵＢＳＴＲＡＴＥＳ）という名称の米国仮特許出願第６２／０６９，７１０号明細書及び／又は２０１４年１０月２８日に出願された、光電子部品を含む基板（ＳＵＢＳＴＲＡＴＥＳ  ＩＮＣＬＵＤＩＮＧ  ＯＰＴＯＥＬＥＣＴＲＯＮＩＣ  ＣＯＭＰＯＮＥＮＴＳ）という名称の米国仮特許出願第６２／０６９，７１２号明細書（これら両方は参照により全体が本明細書に組み込まれる）の任意の適切な態様を含んでもよい。更に、光電子アセンブリ５００は、上で参照した出願に記載されている任意の適切な態様を含んでもよい。
【００４０】
いくつかの構成では、ＴＯＳＡ５６０及び／又はＲＯＳＡ５５０は、部品を保護するための、ＲＯＳＡハウジング５３０及び／又はＴＯＳＡハウジング５４０などの気密的に封止されたハウジングを含んでもよい。しかしながら、特に光電子アセンブリが小型フォームファクタの業界標準に準拠する場合、気密的に封止されたハウジング内のスペースは制限される。更に、気密的に封止されたハウジングの寸法を増加させると、光電子アセンブリの製造コストが増加する場合がある。逆に、気密的に封止されたハウジングの寸法を減少させると、光電子アセンブリの製造コストが減少する場合がある。
【００４１】
いくつかの気密的に封止された構造の製造では光電子アセンブリの製造コストが増加する場合がある。いくつかの状況において、より大きな気密封止部分を持つ気密的に封止された構造の製造は、より小さな気密封止部分を持つ気密的に封止された構造の製造に比べてより費用がかかることがある。いくつかの気密封止構造は光電子アセンブリの複雑さを増す場合がある。追加的又は代替的に、いくつかの気密封止構造は光電子アセンブリの寸法を増加させる場合がある。
【００４２】
図４Ａ〜図４Ｂを参照し、ＲＯＳＡハウジング５３０について更に詳細に記載する。ＲＯＳＡハウジング５３０は、ハウジング頂部５３３とハウジング底部５３１との間に延びるハウジング本体５３２を含む。ＲＯＳＡハウジング５３０は、ハウジング本体５３２によって少なくとも部分的に囲まれた窓５３４を含んでもよい。窓５３４は光透過性であってもよく、ハウジング本体５３２と一体化されていても、ハウジング本体５３２に結合されていてもよい。複数のレンズ５３７（図では明確化のためその１つのみに符号を付す）を含むレンズアレイ５３６が窓５３４上に配置されていてもよい。レンズアレイ５３６は、光ケーブル３０１ａと受信器アレイ５５２との間を移動する光学信号を伝達する、誘導する、平行化する及び／又は集束するように構成されていてもよい。レンズ５３７のそれぞれは、１つのチャンネルに対応する光学信号を伝達する、誘導する、平行化する及び／又は集束するように構成されて（例えば、形状にされて、寸法にされて及び／又は配置されて）いてもよい。
【００４３】
ＲＯＳＡハウジング５３０は、ハウジング底部５３１にハウジングキャビティ５３９を画定してもよい。ハウジングキャビティ５３９はＲＯＳＡハウジング５３０がＲＯＳＡヘッダ５１０に結合されたときに光電子部品５１４を少なくとも部分的に封入してもよい。ＲＯＳＡハウジング５３０は開口５３８を含んでもよく、開口５３８は、ハウジング頂部５３３において開始し、ハウジング本体５３２の少なくとも一部分内に延びている。開口５３８は、光学信号がＲＯＳＡハウジング５３０の少なくとも一部分を通過して窓５３４へと移動することを可能にするように構成されて（例えば、形状にされて及び／又は寸法にされて）いてもよい。いくつかの構成では、開口５３８は開口５３８内にレンズアレイ５３６を受け入れてもよい及び／又は収容してもよい。追加的又は代替的に、開口５３８は開口５３８内に他の光学部品を受け入れてもよい及び／又は収容してもよい。図示されているように、レンズアレイ５３６は、開口５３８内の窓５３４に結合された又は開口５３８内の窓５３４上に形成された矩形アレイ本体を含んでもよい。レンズ５３７のそれぞれは、光学信号を伝達する、誘導する、平行化する及び／又は集束するように構成された１つ以上の光透過性表面を含んでもよい。光透過性表面は平坦面であっても曲面（例えば、凹面又は凸面）であってもよい。いくつかの状況において、レンズ５３７は凸面であってもよく、レンズ５３７の凸面形態は、光学信号を最適に伝達、誘導、平行化及び／又は集束してもよい。レンズ５３７はアレイ本体に結合されていても、アレイ本体と一体化されていても、アレイ本体とともに形成されていてもよい。いくつかの構成では、レンズ５３７はアレイ本体の頂部及び／又は底部に配置されていてもよい。追加的又は代替的に、いくつかの構成では、レンズ５３７はアレイ本体内に配置されていてもよい。
【００４４】
例えば、図４Ｂに示されるように、窓シール５３５がハウジング本体５３２と窓５３４との間に配置されていてもよい。いくつかの構成では、窓シール５３５はハウジング本体５３２を窓５３４に（又は窓５３４をハウジング本体５３２に）結合してもよい。追加的又は代替的に、窓シール５３５はハウジング本体５３２と窓５３４との間における気密封止の提供に寄与し得る。いくつかの構成では、ハウジングキャビティ５３９は、ＲＯＳＡヘッダ５１０に結合されているとき、ＲＯＳＡヘッダ５１０などのヘッダサブアセンブリの一部分を気密的に封止してもよく、ゆえに、気密的に封止されたハウジングキャビティ５３９であってもよい。
【００４５】
ＲＯＳＡハウジング５３０の他の構成では（例えば、図６Ａ〜図６Ｂ及び関連の記載を参照）、レンズアレイ５３６は開口５３８内に配置されていなくてもよい。例えば、いくつかの構成では、レンズアレイ５３６はハウジングキャビティ５３９内の窓５３４の他方の面に配置されていてもよい。他の構成では、レンズアレイ５３６は矩形アレイ本体を含まなくてもよい。例えば、レンズアレイ５３６は円形アレイ本体構成を含んでもよく、又はアレイ本体は省略されてもよく、レンズ５３７は窓５３４に直接結合されていてもよい。追加的又は代替的に、レンズアレイ５３６は、レンズ、プリズム、ミラー、フィルタ、アイソレータ及び／又は他の適切な特徴などの他の光学部品を含んでもよい。
【００４６】
図５Ａ〜図５Ｂを参照し、ＴＯＳＡハウジング５４０について更に詳細に記載する。ＴＯＳＡハウジング５４０は、ハウジング頂部５４３とハウジング底部５４１との間に延びるハウジング本体５４２を含む。ＴＯＳＡハウジング５４０は、ハウジング本体５４２によって少なくとも部分的に囲まれた窓５４４を含んでもよい。窓５４４は光透過性であってもよく、ハウジング本体５４２と一体化されていても、ハウジング本体５４２に結合されていてもよい。
【００４７】
ＴＯＳＡハウジング５４０は、ハウジング底部５４１にハウジングキャビティ５４９を画定してもよい。ハウジングキャビティ５４９はＴＯＳＡハウジング５４０がＴＯＳＡヘッダ５２０に結合されたときに光電子部品５１４を少なくとも部分的に封入してもよい。ＴＯＳＡハウジング５４０は開口５４８を含んでもよく、開口５４８は、ハウジング頂部５４３において開始し、ハウジング本体５４２の少なくとも一部分内に延びている。開口５４８は、光学信号がＴＯＳＡハウジング５４０の少なくとも一部分を通過して窓５４４へと移動することを可能にするように構成されて（例えば、形状にされて及び／又は寸法にされて）いてもよい。
【００４８】
光学部品５４６は開口５４８内に配置されていてもよい及び／又はカップリングアセンブリ５４７によって保持されていてもよい。光学部品５４６は、１つ以上のアイソレータ、レンズ、プリズム、ミラー、フィルタ及び／又は他の適切な光学機能を含んでもよい。光学部品５４６は、レーザアレイ５６２と光ケーブル３０１ｂとの間において移動する光信号を伝達する、誘導する、平行化する及び／又は集束するように構成されていてもよい。いくつかの構成では、光学部品５４６は、レンズアレイ５３６関して記載される任意の適切な態様を含んでもよい。
【００４９】
いくつかの構成では、開口５４８は開口５４８内に光学部品５４６を受け入れてもよい及び／又は収容してもよい。カップリングアセンブリ５４７は光学部品５４６をハウジング本体５４２に対し保持する及び／又は光学部品５４６の光学アライメントを容易にするように構成されていてもよい。いくつかの構成では、カップリングアセンブリ５４７は、開口５４８に注入されて、光学部品５４６を少なくとも部分的に取り囲む接着剤又はポッティング材（ｐｏｔｔｉｎｇ  ｍａｔｅｒｉａｌ）を含んでもよく、接着剤又はポッティング材は安定化後に光学部品５４６を保持する。他の構成では、カップリングアセンブリ５４７は、光学部品５４６をハウジング本体５４２に結合するための任意の適切なカップリング又は固定機能を含んでもよい。
【００５０】
例えば、図５Ｂに示されるように、窓シール５４５がハウジング本体５４２と窓５４４との間に配置されていてもよい。いくつかの構成では、窓シール５４５はハウジング本体５４２を窓５４４に（又は窓５４４をハウジング本体５４２に）結合してもよい。追加的又は代替的に、窓シール５４５はハウジング本体５４２と窓５４４との間における気密封止の提供に寄与し得る。いくつかの構成では、ハウジングキャビティ５４９は、ＴＯＳＡヘッダ５２０に結合されているとき、ＴＯＳＡヘッダ５２０などのヘッダサブアセンブリの一部分を気密的に封止してもよく、ゆえに、気密的に封止されたハウジングキャビティ５４９であってもよい。
【００５１】
ＴＯＳＡハウジング５４０の他の構成では（例えば、図６Ａ〜図６Ｂ及び関連の記載を参照）、光学部品５４６は開口５４８内に配置されていなくてもよい。例えば、いくつかの構成では、光学部品５４６はハウジングキャビティ５４９内の窓５４４の他方の面に配置されていてもよい。
【００５２】
図６Ａ〜図６Ｂを参照し、別のハウジングについて更に詳細に記載する。いくつかの構成では、別のハウジングは光学部品１００及び／又はマルチレンズ光学部品１００であってもよい。ＲＯＳＡハウジング５３０及び／又はＴＯＳＡハウジング５４０は、ハウジング１００に関して記載される一部又は全部の適切な態様を含んでもよい。光学部品１００、ＲＯＳＡハウジング５３０及び／又はＴＯＳＡハウジング５４０は、２０１５年１０月１３日に出願された、マルチレンズ光学部品（ＭＵＬＴＩ−ＬＥＮＳ  ＯＰＴＩＣＡＬ  ＣＯＭＰＯＮＥＮＴＳ）という名称の米国特許出願第１４／８８１６９３号明細書、及び２０１４年１０月１３日に出願された、マルチレンズ光学部品（ＭＵＬＴＩ−ＬＥＮＳ  ＯＰＴＩＣＡＬ  ＣＯＭＰＯＮＥＮＴＳ）という名称の米国仮特許出願第６２／０６３，２２５号明細書（これら両方は参照により全体が本明細書に組み込まれる）の任意の適切な態様を含んでもよい。追加的又は代替的に、光電子アセンブリ５００は、上で参照した出願に記載されている任意の適切な態様を含んでもよい。
【００５３】
ハウジング１００は、ハウジング頂部１１６とハウジング底部１１８との間に延びるハウジング本体１０６を含む。ハウジング１００は、レンズ１０３（図では明確化のためその１つのみに符号を付す）のレンズアレイ１０４を有する窓１０２を含んでもよい。各レンズ１０３は、ＲＯＳＡヘッダ５１０、ＴＯＳＡヘッダ５２０、光ケーブル３０１ａ−ｂ及び／又はフェルールアセンブリ３００ａ−ｂなどの光電子部品間を移動する光信号を伝達する、誘導する、平行化する及び／又は集束するように構成されていてもよい。各レンズ１０３は、１つのチャンネルに対応する光信号を伝達する、誘導する、平行化する及び／又は集束するように構成されていてもよい。
【００５４】
ハウジング１００は、ハウジング本体１０６と窓１０２との間における気密封止の提供に寄与する窓シール１１０を含んでもよい。ハウジング本体１０６、窓１０２及び／又は窓シール１１０は、ハウジングキャビティ１１９を画定してもよい。いくつかの構成では、ハウジングキャビティ１１９は、ＲＯＳＡヘッダ５１０及び／又はＴＯＳＡヘッダ５２０に結合されているとき、ＲＯＳＡヘッダ５１０及び／又はＴＯＳＡヘッダ５２０の一部分を気密的に封止してもよく、ゆえに、気密的に封止されたハウジングキャビティ１１９と称される。
【００５５】
ハウジング１００は、ハウジング本体１０６及び／又は窓１０２によって画定される開口１１２を含んでもよい。開口１１２は、光信号がハウジング１００の少なくとも一部分を通過して窓１０２へと移動することを可能にするように構成されて（例えば、形状にされて及び／又は寸法にされて）いてもよい。いくつかの構成では、開口１１２は更なる光学部品の少なくとも一部分を開口１１２内に受け入れても収容してもよい。例えば、開口１１２は、光学部品５４６（図５Ａ〜図５Ｂ）又はレンズアレイ５３６（図４Ａ〜図４Ｂ）などの光学部品を受け入れてもよい。
【００５６】
窓１０２は光透過性であってもよく、ハウジング本体１０６に一体化されていても、ハウジング本体１０６に結合されていてもよい。レンズアレイ１０４は、窓１０２上に、ハウジング底部１１８に若しくはハウジング底部１１８の近傍に、及び／又はハウジングキャビティ１１９内に配置されていてもよい。ハウジング１００のレンズ１０３は、光学信号を伝達する、誘導する、平行化する及び／又は集束するように構成された光透過性凸面であってもよい。レンズ１０３は窓１０２と結合されていても、窓１０２と一体化されていてもよい。レンズ１０３のすべて又はいくつかは、ＲＯＳＡヘッダ５１０及び／又はＴＯＳＡヘッダ５２０などのマルチチャンネルサブアセンブリの１つのチャンネルに対応する光学信号を伝達する、誘導する、平行化する及び／又は集束するように構成されて（例えば、形状にされて、寸法にされて及び／又は配置されて）いてもよい。
【００５７】
ハウジング１００は、ハウジング底部１１８に配置されたフランジ１１４を含んでもよい。フランジ１１４は、フランジ基部１０８を含んでもよく、フランジ基部１０８は、ハウジング１００が、ＲＯＳＡヘッダ５１０及び／又はＴＯＳＡヘッダ５２０等のヘッダアセンブリなどの他の部品に結合されるように構成されて（形状にされて及び／又は寸法にされて）いてもよい。ハウジング頂部１１６は、フェルールアセンブリ３００ａ−ｂなどのフェルールアセンブリと接続するように構成されて（形状にされて及び／又は寸法にされて）いてもよい。
【００５８】
図示されているように、ハウジング本体１０６は実質的に円形又は環状であってもよいが、ハウジング本体１０６は矩形、楕円形、多面体及び他の構成を含む任意の適切な構成であってもよい。窓シール１１０は実質的に環状であってもよく、窓１０２とハウジング本体１０６との間に配置されていてもよい。他の構成では、窓シール１１０は環状でなくてもよい。例えば、ハウジング本体１０６が矩形の構成では、窓シール１１０もまた、対応する矩形構成を含んでもよい。
【００５９】
気密封止の提供に寄与することに加えて又はその代わりに、窓シール１１０は窓１０２をハウジング本体１０６に結合することに寄与し得る。例えば、気密封止が所望されない又は必要とされない構成においては、窓シール１１０は窓１０２をハウジング本体１０６に結合してもよく、気密封止の提供をしなくてもよい。他の構成では、窓シール１１０は窓１０２をハウジング本体１０６に結合するのに寄与するとともに、気密封止の提供に寄与し得る。
【００６０】
ＲＯＳＡハウジング５３０、ＴＯＳＡハウジング５４０及び／又はハウジング１００の特定の態様は、光電子アセンブリ５００の経済的な製造を促進し得る。態様は光電子アセンブリ５００の製造コストの低下に寄与し得る。例えば、いくつかの態様は光電子アセンブリ５００の製造プロセスを簡略化してもよい。別の例では、いくつかの態様は、ＲＯＳＡハウジング５３０、ＴＯＳＡハウジング５４０及び／又は光電子アセンブリ５００を製造するのに使用される材料のコストを低下させてもよい。更に別の例では、いくつかの態様は、光電子アセンブリ５００の気密封止部分の必要寸法を低減し得る。追加的又は代替的に、態様は、光電子アセンブリ５００の大きさ又はクリアランスを低減し得る。
【００６１】
図７Ａ〜図７Ｃを参照し、フェルールアセンブリ３００ａについて更に詳細に記載する。フェルールアセンブリ３００ａは、ＲＯＳＡ５５０などの光電子サブアセンブリ内の複数の光ファイバ３０２ａを結合するように構成されていてもよい（例えば、図１Ａ〜図１１Ｂを参照）。各光ファイバ３０２ａは、マルチチャンネル光電子アセンブリ５００の１つのチャンネルに対応してもよい。光ケーブル３０１ａは、光ファイバ３０２ａの少なくとも一部分を囲むケーシング３０８ａを含む。ケーシング３０８ａは、光ファイバ３０２ａを絶縁する及び／又は保護するように構成される。図示されているように、光ファイバ３０２ａの少なくとも１つ又はすべては対応する１つのケーシング３０８ａを含む。
【００６２】
フェルールアセンブリ３００ａは、光ファイバ３０２ａと結合するように構成された上部クランプ部材３０４ａなどの上部分と、光ファイバ３０２ａと上部クランプ部材３０４ａとに結合するように構成された下部クランプ部材３０６ａなどの下部分と、を含む。上部及び下部クランプ部材３０４ａ、３０６ａは、上部クランプ部材３０４ａと下部クランプ部材３０６ａとの間に配置された対応する光ケーブル３０１ａ（１つの光ケーブルであってもリボン光ケーブルなどの複数の光ケーブルであってもよい）の光ファイバ３０２ａを保持するように構成されていてもよい。したがって、上部クランプ部材３０４ａと下部クランプ部材３０６ａとは協働して光ファイバ３０２ａを互いの間で結合してもよい。いくつかの態様では、上部クランプ部材３０４ａと下部クランプ部材３０６ａとは、１つの一体的に形成されたクランプ部材を形成してもよい。
【００６３】
フェルール本体３１２ａは光ファイバ３０２ａの少なくとも一部分を囲んでもよい。いくつかの構成では、フェルール本体３１２ａは環状であっても円筒状であってもよい。フェルール本体３１２ａは、上部クランプ部材３０４ａと下部クランプ部材３０６ａとを互いに合わせて、光ファイバ３０２ａを上部クランプ部材３０４ａと下部クランプ部材３０６ａとの間で締め付けるように構成される。ポッティング材３１４ａがフェルール本体３１２ａと上部クランプ部材３０４ａ及び下部クランプ部材３０６ａとの間の隙間を埋め、フェルールアセンブリ３００ａを互いに合わせて、フェルール本体３１２ａ内の上部クランプ部材３０４ａと下部クランプ部材３０６ａとの間で締め付けられた光ファイバ３０２ａを保持するように、ポッティング材３１４ａがフェルール本体３１２ａ内に並びに上部クランプ部材３０４ａ及び下部クランプ部材３０６ａの周囲に配置されていてもよい。いくつかの態様では、フェルール本体３１２ａ、上部クランプ部材３０４ａ及び下部クランプ部材３０６ａ並びにポッティング材３１４ａのすべてがフェルールアセンブリ３００ａを合わせておくこと及び／又は光ファイバ３０２ａを保持することに寄与し得る。
【００６４】
ポッティング材３１４ａは単一材料とすることもでき、又は１つの材料を底部用、１つの材料を上部用として、２つの別個の材料から形成することもできる。いくつかの構成では、ポッティング材３１４ａはフェルール本体３１２ａの一部分であっても、フェルール本体３１２ａと一体化していてもよい。いくつかの構成では、上部クランプ部材３０４ａと下部クランプ部材３０６ａは、互いに固定されてフェルール本体３１２ａの丸みのあるルーメン内に取り付けられる（例えば、摩擦嵌合）と、丸みのある断面プロファイルを有するように、ポッティング材３１４ａは上部クランプ部材３０４ａ及び下部クランプ部材３０６ａの一部であってもよい。
【００６５】
図示されているように、いくつかの構成では、フェルール本体３１２ａは環状であっても円筒状であってもよい。他の構成では、フェルール本体３１２ａは、矩形、多面、湾曲又はこれらの組み合わせを含む任意の適切な構成であってもよい。ポッティング材３１４ａ並びに上部クランプ部材３０４ａ及び下部クランプ部材３０６ａは、また、フェルール本体３１２ａ内に収まる種々の形状を有してもよい。したがって、フェルールアセンブリ３００ａの要素の形状及び寸法は様々である。
【００６６】
下部クランプ部材３０６ａはトラフ３１０ａを含んでもよい。トラフ３１０ａのそれぞれは、対応する光ファイバ３０２ａの一部分を受け入れる又は収容するように構成されて（例えば、形状にされて及び／又は寸法にされて）いてもよい。トラフ３１０ａは、ｖ字形、ｕ字形、ｃ字形、半円形、四角形、テーパ状又は任意の他の形状を含む任意の適切な構成を含む。トラフ３１０ａは長手方向に配向され、前端部３２８ａから後端部３３０ａに向かって延びてもよい。図示されているように、トラフ３１０ａは後端部３３０ａにある下部クランプ部材３０６ａのシェルフ３３２ａにおいて終端してもよい。同様に、上部クランプ部材３０４ａは、前端部３２８ａからシェルフ３３２ａ又は後端部３３０ａまでトラフ３１０ａ上に延びるような寸法にされてもよい。他の例では、シェルフ３３２ａは含まれなくてもよく、トラフ３１０ａを上部クランプ部材３０４ａ及び／又は下部クランプ部材３０６ａの全長に延在させてもよい。トラフ３１０ａは上部クランプ部材３０４ａ及び／又は下部クランプ部材３０６ａ上にあってもよい。
【００６７】
例えば、図７Ｃに示されるように、フェルールアセンブリ３００ａは、光ケーブル３０１ａ及び／又はフェルール本体３１２ａの一部分を囲むブーツ３３４ａを含んでもよい。ブーツ３３４ａは、光ケーブル３０１ａの支持及び／又は保持に寄与し得る。追加的又は代替的に、ブーツ３３４ａは、フェルールアセンブリ３００ａを合わせておくことに寄与し得る。
【００６８】
フェルールアセンブリ３００ａは、示されるように、光ファイバ３０２ａを線形構成で保持するように構成されていてもよく、この場合、光ファイバ３０２ａの少なくとも一部分は共通平面を共有しており、平行であってもよい（例えば、トラフ３１０ａは平行であってもよい）。追加的又は代替的に、光ファイバ３０２ａは四角形、矩形、円形又は任意の他の構成などの任意の適切な構成で配置されていてもよい。フェルールアセンブリ３００ａの光ファイバ３０２ａの構成は、レンズアレイ５３６、光学部品５４６、レンズアレイ１０４、ＲＯＳＡヘッダ５１０及び／又はＴＯＳＡヘッダ５２０の構成に対応してもよい。
【００６９】
図８Ａ〜図８Ｄ参照し、ＴＯＳＡ５６０及びフェルールアセンブリ３００ｂについて更に詳細に記載する。フェルールアセンブリ３００ｂは、フェルールアセンブリ３００ａに関して記載される一部又は全部の適切な態様を含んでもよく、同様の番号はフェルールアセンブリ３００ｂの同様の要素を意味している。追加的又は代替的に、フェルールアセンブリ３００ａ−ｂは、２０１５年８月１２日に出願された、フェルールアセンブリ（ＦＥＲＲＵＬＥ  ＡＳＳＥＭＢＬＩＥＳ）という名称の米国特許出願第１４／８２４，８８３号明細書、及び２０１４年８月１３日に出願された、フェルールアセンブリ（ＦＥＲＲＵＬＥ  ＡＳＳＥＭＢＬＩＥＳ）という名称の米国仮特許出願第６２／０３６，７１４号明細書（これら両方は参照により全体が本明細書に組み込まれる）の任意の適切な態様を含んでもよい。「フェルールアセンブリ」の態様がフェルールアセンブリ３００ａ−ｂ及び／又は光電子アセンブリ５００の構成に組み込まれてもよい。
【００７０】
フェルールアセンブリ３００ｂは、ＴＯＳＡ５６０などの光電子サブアセンブリ内の複数の光ファイバ３０２ｂを結合するように構成されていてもよい（例えば、図１Ａ〜図１Ｂを参照）。各光ファイバ３０２ｂは、マルチチャンネル光電子アセンブリ５００の１つのチャンネルに対応してもよい。光ケーブル３０１ａに関して記載したように、光ケーブル３０１ｂのそれぞれは、ケーシング３０８ｂによって囲まれた光ファイバ３０２ｂを含んでもよい。光ケーブル３０１ｂは、上部クランプ部材３０４ａと同様の上部クランプ部材と、下部クランプ部材３０６ａと同様の下部クランプ部材（トラフ及び／又はシェルフを含んでもよい）及び／又はポッティング材（図示せず）とによって少なくとも部分的にフェルール本体３１２ｂ内に保持されていてもよい。フェルールアセンブリ３００ｂは、光ケーブル３０１ｂ及び／又はフェルール本体３１２ｂの一部分を囲むブーツ３３４ｂを含んでもよい。ブーツ３３４ｂは光ケーブル３０１ｂの支持及び／又は保持に寄与し得る。追加的又は代替的に、ブーツ３３４ｂはフェルールアセンブリ３００ｂを合わせておくことに寄与し得る。
【００７１】
フェルールアセンブリ３００ｂは、フェルールアセンブリ３００ｂの位置合わせを容易にするように構成されたアライメントスリーブ３２０ｂを含んでもよい。アライメントスリーブ３２０ｂは、スリーブ頂部３１６ｂとスリーブ底部３１８ｂとの間に延び、スリーブキャビティ３２２ｂを画定する円筒状本体を含んでもよい。スリーブキャビティ３２２ｂは、フェルール本体３１２ｂを受け入れるために、フェルール本体３１２ｂに対応する構成（例えば、形状及び／又は寸法）を含んでもよい。
【００７２】
アライメントスリーブ３２０ｂは、スリーブ頂部３１６ｂに配置された頂部スリーブフランジ３２４ｂ及び／又はスリーブ底部３１８ｂに配置された下部スリーブフランジ３２６ｂを含んでもよい。アライメントスリーブ２２０ｂのスリーブ底部３１８ｂは、ＴＯＳＡハウジング５４０と接続するように構成されて（例えば、形状にされて及び／又は寸法にされて）いてもよい。下部スリーブフランジ３２６ｂ及び／又はスリーブ底部３１８ｂはハウジング頂部５４３に接して配置されていてもよく、これにより、アライメントスリーブ３２０ｂが開口５４８内に挿入されるのを防止する。このような構成では、フェルールアセンブリ３００ｂの一部分は開口５４８内に配置されていてもよい。
【００７３】
図示されているように、フェルール本体３１２ｂが円筒状の場合、スリーブキャビティ３２２ｂはフェルール本体３１２ｂの直径に合致する直径を含んでもよく、フェルール本体３１２ｂは少なくとも部分的にアライメントスリーブ３２０ｂの内部に配置されていてもよい。例えば、スリーブキャビティ３２２ｂの直径は、フェルール本体３１２ｂの直径とほぼ同じであっても、フェルール本体３１２ｂの直径よりもわずかに大きくてもよい。このような構成は、フェルールアセンブリ３００ｂがアライメントスリーブ３２０ｂに対し長手方向軸線に沿って長手方向及び／又は回転方向に位置変更されることを可能にする。「長手方向」は、長手方向軸線に沿ったいずれかの方向又は長手方向軸線に沿った両方向の動きを意味する。
【００７４】
長手方向軸線に沿ってフェルールアセンブリ３００ｂの位置を変更することで、光ファイバ３０２ｂがＴＯＳＡハウジング５４０及び／又はＴＯＳＡヘッダ５２０と光学的に位置合わせされることを可能にする。この構成は、また、フェルールアセンブリ３００ｂがアライメントスリーブ３２０ｂに対し、長手方向軸線を横断する軸線に沿って位置変更され得ないようにフェルールアセンブリ３００ｂの可動域を限定してもよい。横断方向軸線に沿うフェルールアセンブリ３００ｂの可動域を限定することで、その位置合わせを容易にする。例えば、可動域を限定することで、フェルールアセンブリ３００ｂをＴＯＳＡハウジング５４０及び／又はＴＯＳＡヘッダ５２０と位置合わせするコストを簡略化し及び／又は低下させる。長手方向の位置合わせが得られると、フェルール本体３１２ｂは長手方向位置の設定位置に固定される。したがって、光ファイバ３０２ｂはレーザアレイ５６２及び／又は他の部品に対して設定長手方向位置にある。したがって、長手方向位置を設定することで、長手方向位置を変えることなく、レーザアレイ５６２及び／若しくは他の部品との回転位置合わせ、又は光ファイバ３０２ｂの長手方向軸線を横断する方向における位置合わせが可能になり、これによりファイバの位置合わせの容易さ及び繰り返し性が極めて向上する。
【００７５】
図９Ａ〜図９Ｂを参照し、ＲＯＳＡ５５０及びフェルールアセンブリ３００ａについて更に詳細に記載する。フェルールアセンブリ３００ａは、フェルールアセンブリ３００ａの位置合わせを容易にするように構成されたアライメントスリーブ３２０ａを含んでもよい。アライメントスリーブ３２０ａは、アライメントスリーブ３２０ｂに関して記載される一部又は全部の適切な態様を含んでもよい。例えば、アライメントスリーブ３２０ａは、スリーブ頂部３１６ａに配置された頂部スリーブフランジ３２４ａ及び／又はスリーブ底部３１８ａに配置された下部スリーブフランジ３２６ａを有する円筒状本体を含んでもよい。アライメントスリーブ３２０ａは、フェルール本体３１２ａを受け入れるために、フェルール本体３１２ａに対応する構成（例えば、形状及び／又は寸法）を有するスリーブキャビティ（明確化のため符号は付さない）を含んでもよい。アライメントスリーブ２２０ａのスリーブ底部３１８ａは、下部スリーブフランジ３２６ａにおいてＲＯＳＡハウジング５３０と接続するように構成されて（例えば、形状にされて及び／又は寸法にされて）いてもよい。
【００７６】
図１０Ａ〜図１０Ｂを参照し、コネクタサブアセンブリ５８０について更に詳細に記載する。コネクタサブアセンブリ５８０は、光電子アセンブリ５００を光ファイバネットワークの他の部品に結合するように構成されていてもよい。コネクタサブアセンブリ５８０は、コネクタ前部５８３とコネクタ後部５８１との間に延びるコネクタ本体５８２を含んでもよい。コネクタ本体５８２は、光ケーブル３０１ａ及び／又は光ケーブル３０１ｂをコネクタ前部５８３において受け入れ且つ保持してもよく、光ケーブル３０１ａ、３０１ｂはコネクタ本体５８２によって少なくとも部分的に囲まれている。
【００７７】
対応する光ケーブル３０１ａ、３０１ｂの光ファイバ３０２ａ、３０２ｂはコネクタ本体５８２の全長に延び、コネクタ後部５８１に配置された光ファイバ接続部５８８において終端してもよい。光ファイバ接続部５８８は複数のファイバカップリング５８９（明確化のためその１つのみに符号を付す）を含んでもよい。図示されているように、いくつかの構成では、光ファイバ接続部５８８は、１２個のファイバカップリング５８９を含んでもよく、そのうちの４つが光ファイバ３０２ａに対応し、そのうちの４つが光ファイバ３０２ｂに対応する。このような構成では、光ファイバ接続部５８８は４つの不作動のファイバカップリングを含んでもよい。しかしながら、これら不作動のファイバカップリングは、光電子アセンブリ５００が４つを超えるチャンネルを送信する及び／又は受信するように構成される場合には作動させてもよい。例えば、いくつかの構成では、光電子アセンブリ５００は５又は６チャンネルを送信及び受信するように構成される。他の構成では、光電子アセンブリ５００は、１２チャンネルを送信し、受信はまったくしないように構成される、又は１２チャンネルを受信し、送信はまったくしないように構成される。
【００７８】
更なる構成において、光ファイバ接続部５８８は、１２個超又は未満を含む任意の適切な数のファイバカップリング５８９を含んでもよい。このような構成では、光電子アセンブリ５００は、任意の適切な数の光ファイバ３０２ａ−ｂ及び／又は不作動のファイバカップリングを含む。６つを超える送信及び受信チャンネルを含む光電子アセンブリ５００の構成では、光ファイバ接続部５８８は、１２個を超えるファイバカップリング５８９を含んでもよく、光電子アセンブリ５００は、１２個を超える光ファイバ３０２ａ−ｂを含んでもよい。
【００７９】
不作動のファイバカップリングは光ファイバであっても、光ファイバ３０２ａ、３０２ｂに接続されない他の適切な光学カップリングであってもよい。いくつかの構成では、不作動のファイバカップリングは省略してもよい。いくつかの構成では、光ファイバ３０２ａ、３０２ｂはコネクタ本体５８２の全長に延在しなくてもよく、光ファイバ、レンズ、ミラー又は任意の他の適切な光学カップリングなどの中間光学カップリングによって光ファイバ接続部５８８に光学的に結合されていてもよい。
【００８０】
コネクタサブアセンブリ５８０はコネクタ前部５８３に配置されたファイバスリーブ５８４を含んでもよい。図示されているように、ファイバスリーブ５８４は光ケーブル３０１ａ、３０１ｂの一部分を囲んでもよく、光ケーブル３０１ａ、３０１ｂを支持及び／又は保護してもよい。例えば、ファイバスリーブ５８４は光ケーブル３０１ａ、３０１ｂに作用する力を分散させることによって光ケーブル３０１ａ、３０１ｂを保護してもよい。いくつかの構成では、ファイバスリーブ５８４はコネクタ前部５８３において又はその近傍で光ケーブル３０１ａ、３０１ｂに作用する力を分散させてもよい。力は、光ケーブル３０１ａ、３０１ｂからコネクタ本体５８２へと分散させてもよい、又は光ケーブル３０１ａ、３０１ｂの１つから他の光ケーブル３０１ａ、３０１ｂへと分散させてもよい。
【００８１】
図示されている構成では、ファイバスリーブ５８４は光ケーブル３０１ａ、３０１ｂの両セットを囲んでいるが、他の構成では、複数のファイバスリーブが含まれてもよい。例えば、いくつかの構成では、光ケーブル３０１ａ、３０１ｂのそれぞれは、独自の対応するファイバスリーブを含んでもよい。他の構成では、光ケーブル３０１ａ、３０１ｂのセットは、対応するファイバスリーブを含んでもよい。例えば、光ケーブル３０１ａは第１のファイバスリーブを含んでもよく、光ケーブル３０１ｂは第２のファイバスリーブを含んでもよい。いくつかの構成では、他のファイバスリーブ構成を実装してもよい。
【００８２】
コネクタ本体５８２はコネクタ前部５８３に配置された周縁部５９０を含んでもよい。図示されているように、周縁部５９０はコネクタ本体５８２の残りの部分よりも大きな断面を含んでもよい。周縁部５９０は、コネクタ本体５８２の残りの部分の少なくとも１つの対応する寸法よりも大きな少なくとも１つの寸法（例えば、高さ、幅、長さ、直径等）を含んでもよい。いくつかの構成では、コネクタサブアセンブリ５８０を別の部品に結合するために、コネクタ本体５８２の少なくとも一部分はレセプタクル内に配置されていてもよい。このような構成では、周縁部５９０は、コネクタ本体５８２が別の部品のレセプタクルの奥へと挿入されすぎることを防止するための停止部として機能し得る。追加的又は代替的に、周縁部５９０はコネクタサブアセンブリ５８０を別の部品に結合することに寄与し得る。
【００８３】
図示されているように、コネクタ本体５８２は矩形であってもよく、対応する矩形レセプタクルに挿入されるような寸法及び形状にされていてもよい。コネクタ本体５８２がレセプタクル内に配置され、コネクタ本体５８２自体をレセプタクル内で保持し、コネクタサブアセンブリ５８０を別の部品に対し固定し、光ファイバ３０２ａ、３０２ｂを別の部品と光学的に結合するように、コネクタ本体５８２は弾性又はプラスチック材料で形成されていてもよい。
【００８４】
光ファイバ接続部５８８及び／又はファイバカップリング５８９は、コネクタ本体５８２がレセプタクル内に配置されたときにファイバカップリング５８９が光学的に位置合わせされるように、互いに対して及び／又はコネクタ本体５８２に対して配置されていてもよい。例えば、図示されている構成では、ファイバカップリング５８９は、別の部品の対応する直線的に位置合わせされた光学カップリングと直線的に及び光学的に位置合わせされている。他の構成では、コネクタ本体５８２は任意の適切な形状若しくは構成、例えば、円形若しくは円筒状、三角形、四辺形、又は他の構成であってもよい。追加的又は代替的に、ファイバカップリング５８９は、線形以外の任意の適切な構成を含んでもよく、例えば、ファイバカップリング５８９は複数の行で配置されていてもよく、又は円形若しくはオフセット構成若しくは任意の他の適切な構成を含んでもよい。
【００８５】
コネクタ本体５８２はコネクタ本体５８２の全長に延びる第１の開口部５８６ａ及び第２の開口部５８６ｂを画定してもよい。図示しない構成では、第１の開口部５８６ａ及び／又は第２の開口部５８６ｂはコネクタ本体５８２の全長に延びなくてもよく、コネクタ後部５８１又はコネクタ前部５８３などのコネクタ本体５８２の一方の側に配置されていてもよい。他の構成では、第１の開口部５８６ａ及び／又は第２の開口部５８６ｂはコネクタ本体５８２の全長に延びなくてもよいが、コネクタ後部５８１及びコネクタ前部５８３の両方に配置されていてもよい。いくつかの構成では、第１の開口部５８６ａ及び／又は第２の開口部５８６ｂは、コネクタサブアセンブリ５８０及び他の部品の位置合わせ又は結合を容易にし得る。例えば、第１の開口部５８６ａ及び／又は第２の開口部５８６ｂは別の部品のカップリング又はアライメント機能部を受け入れてもよい。このような構成では、第１の開口部５８６ａ及び／又は第２の開口部５８６ｂは、他の部品のアライメント機能部が第１の開口部５８６ａ及び／又は第２の開口部５８６ｂ内に配置されたときに、光ファイバ接続部５８８を光学的に位置合わせしてもよい。
【００８６】
いくつかの構成では、第１の開口部５８６ａ及び／又は第２の開口部５８６ｂは互いに対し及び／又はコネクタ本体５８２に対し非対称に配置されていてもよい。第１の開口部５８６ａ及び／又は第２の開口部５８６ｂのこのような構成では、コネクタサブアセンブリ５８０が一方向のみにおいて別の部品と結合されること又はレセプタクル内に挿入されることを可能にする。図示されている構成では、第１及び第２の開口部５８６ａ、５８６ｂは円形であるが、他の構成では、第１の開口部５８６ａ及び第２の開口部５８６ｂの１つ若しくは両方が楕円形、矩形、菱形などの任意の他の適切な構成又は他の適切な構成であってもよい。いくつかの構成では、第１の開口部５８６ａ及び第２の開口部５８６ｂは、コネクタサブアセンブリ５８０が一方向のみにおいて別の部品と結合されてもよく、レセプタクル内に挿入されてもよいように、異なる構成を含んでもよい。例えば、いくつかの構成では、第１の開口部５８６ａは円形であってもよく、第２の開口部５８６ｂは矩形であってもよい。
【００８７】
図は特定の型のコネクタを組み込んだ例を示しているが、開示される原理は現在知られている又は将来使用される他のコネクタ型に適用することができる。これには、ＬＣ、ＳＴ、ＳＣ及びＦＣ各種並びに他の断面形状又は型のコネクタを含んでもよいが、これらに限定されない。いくつかの態様では、使用されるコネクタの型は、その寸法、大きさ及び構成並びにその全体的な形状（例えば、円形、四角形、矩形等）に影響する場合がある。
【００８８】
光電子アセンブリ５００のフェルールは、２０１５年８月２０日に出願された、レンズレセプタクル（ＬＥＮＳ  ＲＥＣＥＰＴＡＣＬＥＳ）という名称の米国特許出願第１４／８３１４９９号明細書、及び２０１４年８月２０日に出願された、レンズレセプタクル（ＬＥＮＳ  ＲＥＣＥＰＴＡＣＬＥＳ）という名称の米国仮特許出願第６２／０３９，７５８号明細書（これら両方は参照により全体が本明細書に組み込まれる）の任意の適切な態様を含んでもよい。「レンズレセプタクル」の態様は光電子アセンブリ５００、フェルールアセンブリ３００ａ−ｂ、ＲＯＳＡハウジング５３０、ＴＯＳＡハウジング５４０、光学部品１００、コネクタサブアセンブリ５８０又は他の適切な要素の構成に組み込んでもよい。
【００８９】
一例では、マルチチャンネル光電子サブアセンブリは、基板上に複数の光電子変換器を有するマルチチャンネルヘッダサブアセンブリと、ハウジングキャビティを画定し、光透過性部分を含むハウジングと、光ファイバを保持しているフェルールアセンブリと、フェルールアセンブリを受け入れるような大きさ及び形状のスリーブキャビティを有するアライメントスリーブと、を含んでもよい。光電子変換器の少なくとも１つは、１つのチャンネルに対応する光学信号を送信する及び／又は受信するように構成されていてもよい。
【００９０】
いくつかの構成では、ハウジングは、少なくとも部分的にハウジングキャビティ内に配置されている光電子変換器を有するヘッダサブアセンブリに結合されていてもよい。いくつかの構成では、ハウジングは光電子変換器を気密的に封止してもよい。いくつかの構成では、ハウジングは、ハウジングの光透過性部分に複数のレンズを有するレンズアレイを含んでもよい。いくつかの構成では、レンズはハウジングの光透過性表面であってもよい。
【００９１】
いくつかの構成では、マルチチャンネル光電子サブアセンブリは、ハウジングの光透過性部分上に配置された光学部品を含んでもよい。いくつかの構成では、光学部品は、アイソレータ、レンズ、プリズム、ミラー又はフィルタの１つ以上を含んでもよい。いくつかの構成では、フェルールアセンブリは、上部クランプ部材と下部クランプ部材との間に配置された光ファイバを保持する上部クランプ部材及び下部クランプ部材と、上部クランプ部材及び下部クランプ部材の少なくとも一部分を囲むフェルール本体と、を含んでもよい。
【００９２】
いくつかの構成では、フェルール本体が、アライメントスリーブに対し長手方向に配置されるように構成されるように、スリーブキャビティは、フェルール本体を受け入れるような形状及び寸法にされていてもよい。いくつかの構成では、フェルール本体は円筒状であってもよく、アライメントスリーブは円筒状であってもよく、フェルール本体は、少なくとも部分的にアライメントスリーブ内に配置されたときに、アライメントスリーブに対し回転するように構成されていてもよい。いくつかの構成では、フェルール本体は、スリーブキャビティの内部に配置され、アライメントスリーブに固定されていてもよい。いくつかの構成では、フェルールアセンブリはスリーブキャビティの内部に配置され、アライメントスリーブに固定されていてもよい。いくつかの構成では、アライメントスリーブはハウジングに固定されていてもよい。いくつかの構成では、フェルールアセンブリは、光ファイバ及びフェルール本体の一部分を囲むブーツを含んでもよい。
【００９３】
いくつかの構成では、光電子変換器は、ハウジングの光透過性部分と光ファイバと光学的に位置合わせされた受信器アレイを形成している受信器であってもよい。いくつかの構成では、光電子変換器は、光ファイバからハウジングの光透過性部分を通じて光学信号を受信するように構成された受信器アレイを形成している受信器であってもよい。いくつかの構成では、光電子変換器は、ハウジングの光透過性部分と光ファイバと光学的に位置合わせされたレーザアレイを形成しているレーザであってもよい。いくつかの構成では、光電子変換器は、ハウジングの光透過性部分を通じて光ファイバに光学信号を送信するように構成されたレーザアレイを形成しているレーザであってもよい。いくつかの構成では、光電子変換器の少なくとも１つはレンズアレイの少なくとも１つのレンズと光学的に位置合わせされていてもよい。いくつかの構成では、光電子変換器の少なくとも１つは光学部品と光学的に位置合わせされていてもよい。いくつかの構成では、フェルールアセンブリは光ファイバの第１端部に結合されていてもよく、コネクタサブアセンブリは光ファイバの第２端部に結合されていてもよい。
【００９４】
いくつかの構成では、コネクタサブアセンブリは、コネクタ前部とコネクタ後部との間に延びるコネクタ本体であって、コネクタ本体はコネクタ前部において光ファイバを受け入れ、光ファイバはコネクタ本体によって少なくとも部分的に囲まれた状態で保持される、コネクタ本体と、複数のファイバカップリングを有する光ファイバ接続部であって、光ファイバは、コネクタ本体内において、コネクタ前部からコネクタ後部の光ファイバ接続部へと延びている、光ファイバ接続部と、コネクタ前部に配置された光ファイバの一部分を囲むファイバスリーブと、第１の開口部及び第２の開口部であって、第１の開口部及び第２の開口部はコネクタ本体内において、コネクタ前部からコネクタ後部へと延びている、第１の開口部及び第２の開口部と、又はコネクタ前部に配置されたコネクタ本体の周縁部であって、周縁部は、コネクタ本体の残りの部分の少なくとも１つの対応する寸法よりも大きな少なくとも１つの寸法を含んでもよい、周縁部と、の１つ以上を含んでもよい。
【００９５】
いくつかの構成では、基板は、ボトム層と、頂部薄膜信号線を有するトップ層と、トップ層とボトム層との間にある、厚膜トレースを有する１つ以上の中間層と、を含んでもよく、厚膜トレースは、頂部薄膜信号線に電気的に結合されていてもよい。
【００９６】
いくつかの構成では、マルチチャンネル光電子サブアセンブリは、基板の少なくとも一部分内に延びているビアを含んでもよく、ビアは、頂部薄膜信号線及び／又は厚膜トレースに電気的に結合されていてもよい。いくつかの構成では、マルチチャンネル光電子サブアセンブリはボトム層上に少なくとも１つの底部電気部品を含んでもよく、底部電気部品は光電子変換器の少なくとも１つと動作的に結合されていてもよい。
【００９７】
別の例では、マルチチャンネル光電子サブアセンブリは、第１の基板上に受信器を有するＲＯＳＡヘッダと、ＲＯＳＡヘッダに結合されており、ＲＯＳＡハウジングキャビティ内に受信器を少なくとも部分的に封入してもよいＲＯＳＡハウジングと、を含むＲＯＳＡと、第２の基板上に送信器を有するＴＯＳＡヘッダと、ＴＯＳＡヘッダに結合されており、ＲＯＳＡハウジングキャビティ内に送信器を少なくとも部分的に封入してもよいＴＯＳＡハウジングと、を含むＴＯＳＡと、第１の光ファイバを保持してもよい第１のフェルールアセンブリ及び第２の光ファイバを保持している第２のフェルールアセンブリと、第１のフェルールアセンブリを受け入れるような大きさ及び形状の第１のスリーブキャビティを有する第１のアライメントスリーブと、第２のフェルールアセンブリを受け入れるような大きさ及び形状の第２のスリーブキャビティを有する第２のアライメントスリーブと、を含んでもよい。
【００９８】
いくつかの構成では、ＲＯＳＡハウジングは、光学信号を受信器に移動させることができる第１の光透過性部分を含んでもよく、ＴＯＳＡハウジングは、光学信号を送信器から移動させることができる第２の光透過性部分を含んでもよい。いくつかの構成では、ＲＯＳＡハウジングは受信器を気密的に封止してもよい及び／又はＴＯＳＡハウジングは送信器を気密的に封止してもよい。
【００９９】
いくつかの構成では、マルチチャンネル光電子サブアセンブリは、第１の光透過性部分及び／又は第２の光透過性部分上に複数のレンズを有するレンズアレイを含んでもよい。いくつかの構成では、レンズは、ＲＯＳＡハウジング及び／又はＴＯＳＡハウジングの光透過性表面であってもよい。
【０１００】
いくつかの構成では、マルチチャンネル光電子サブアセンブリは、第１の光透過性部分又は第２の光透過性部分上に配置された光学部品を含んでもよい。いくつかの構成では、光学部品は、アイソレータ、レンズ、プリズム、ミラー又はフィルタの１つ以上を含んでもよい。
【０１０１】
いくつかの構成では、第１のフェルールアセンブリは、第１のアライメントスリーブに対し長手方向に配置されるように構成されていてもよい及び／又は第２のフェルールアセンブリは第２のアライメントスリーブに対し長手方向に配置されるように構成されていてもよい。いくつかの構成では、第１のフェルールアセンブリは第１のスリーブキャビティの内部に配置され、第１のアライメントスリーブに固定されていてもよく、第２のフェルールアセンブリは第２のスリーブキャビティの内部に配置され、第２のアライメントスリーブに固定されていてもよい。
【０１０２】
いくつかの構成では、第１のフェルールアセンブリは円筒状であってもよく、第１のアライメントスリーブは円筒状であってもよく、第１のフェルールアセンブリは、少なくとも部分的に第１のアライメントスリーブ内に配置されたときに、第１のアライメントスリーブに対し回転するように構成されていてもよい。いくつかの構成では、第２のフェルールアセンブリは円筒状であってもよく、第２のアライメントスリーブは円筒状であってもよく、第２のフェルールアセンブリは、少なくとも部分的に第２のアライメントスリーブ内に配置されたときに、第２のアライメントスリーブに対し回転するように構成されていてもよい。いくつかの構成では、第１のアライメントスリーブはＲＯＳＡハウジングに固定されていてもよく、第２のアライメントスリーブはＴＯＳＡハウジングに固定されていてもよい。
【０１０３】
いくつかの構成では、受信器又は送信器はレンズアレイと光学的に結合されていてもよい。いくつかの構成では、受信器は第１の光ファイバと光学的に結合されていてもよく、送信器は第２の光ファイバと光学的に結合されていてもよい。いくつかの構成では、マルチチャンネル光電子サブアセンブリは、第１の光ファイバ及び第１のフェルールアセンブリの一部分を囲む第１のブーツと、第２の光ファイバ及び第２のフェルールアセンブリの一部分を囲む第２のブーツと、を含んでもよい。いくつかの構成では、第１のフェルールアセンブリは、第１の光ファイバの第１端部に結合されていてもよく、コネクタサブアセンブリは、第１の光ファイバの第２端部に結合されていてもよく、第２のフェルールアセンブリは第２の光ファイバの第１端部に結合されていてもよく、コネクタサブアセンブリは、第２の光ファイバの第２端部に結合されていてもよい。
【０１０４】
いくつかの構成では、コネクタサブアセンブリは、コネクタ前部とコネクタ後部との間に延びるコネクタ本体であって、コネクタ本体はコネクタ前部において第１の光ファイバ及び第２の光ファイバを受け入れ、第１の光ファイバ及び第２の光ファイバはコネクタ本体によって少なくとも部分的に囲まれた状態で保持される、コネクタ本体と、複数のファイバカップリングを有する光ファイバ接続部であって、第１の光ファイバ及び第２の光ファイバは、コネクタ本体内において、コネクタ前部からコネクタ後部の光ファイバ接続部へと延びている、光ファイバ接続部と、コネクタ前部に配置された第１の光ファイバ及び第２の光ファイバの一部分を囲むファイバスリーブと、第１の開口部及び第２の開口部であって、第１の開口部及び第２の開口部はコネクタ本体内において、コネクタ前部からコネクタ後部へと延びている、第１の開口部及び第２の開口部と、又はコネクタ前部に配置されたコネクタ本体の周縁部であって、周縁部は、コネクタ本体の残りの部分の少なくとも１つの対応する寸法よりも大きな少なくとも１つの寸法を含んでもよい、周縁部と、の１つ以上を含んでもよい。
【０１０５】
いくつかの構成では、第１の基板又は第２の基板は、ボトム層と、頂部薄膜信号線を有するトップ層と、トップ層とボトム層との間にある、厚膜トレースを有する１つ以上の中間層であって、厚膜トレースは、頂部薄膜信号線に電気的に結合されていてもよい、１つ以上の中間層と、第１の基板の少なくとも一部分内に延びているビアであって、ビアは頂部薄膜信号線及び／又は厚膜トレースに電気的に結合されている、ビアと、又はボトム層上の少なくとも１つの底部電気部品であって、底部電気部品はビアと動作的に結合されている、底部電気部品と、の１つ以上を含んでもよい。
【０１０６】
更に別の例では、方法は、受信器を含んでいてもよいＲＯＳＡヘッダを第１の基板上に設けるステップであって、受信器の少なくとも１つは、１つのチャンネルに対応する光学信号を受信するように構成されていてもよい、ステップと、ＲＯＳＡハウジングキャビティを画定し、第１の光透過性部分を含むＲＯＳＡハウジングを設けるステップと、送信器を含んでいてもよいＴＯＳＡヘッダを第２の基板上に設けるステップであって、送信器の少なくとも１つは１つのチャンネルに対応する光学信号を送信するように構成されていてもよい、ステップと、ＴＯＳＡハウジングキャビティを画定し、第２の光透過性部分を含むＴＯＳＡハウジングを設けるステップと、第１の光ファイバを保持している第１のフェルールアセンブリと第２の光ファイバを保持している第２のフェルールアセンブリとを設けるステップと、第１のフェルールアセンブリを受け入れるような大きさ及び形状の第１のスリーブキャビティを有する第１のアライメントスリーブと、第２のフェルールアセンブリを受け入れるような大きさ及び形状の第２のスリーブキャビティを有する第２のアライメントスリーブとを設けるステップと、を含んでもよい。
【０１０７】
いくつかの構成では、方法は、ＲＯＳＡハウジングをＲＯＳＡヘッダに結合し、受信器をＲＯＳＡハウジングキャビティ内に少なくとも部分的に封入することによりＲＯＳＡを形成するステップを含んでもよい。いくつかの構成では、方法は、ＴＯＳＡハウジングをＴＯＳＡヘッダに結合し、送信器をＴＯＳＡハウジングキャビティ内に少なくとも部分的に封入することによりＴＯＳＡを形成するステップを含んでもよい。いくつかの構成では、ＲＯＳＡハウジングは受信器を気密的に封止してもよく、ＴＯＳＡハウジングは送信器を気密的に封止する。
【０１０８】
いくつかの構成では、方法は、第１のフェルールアセンブリを第１のアライメントスリーブの第１のスリーブキャビティの内部に配置するステップと、第２のフェルールアセンブリを第２のアライメントスリーブの第２のスリーブキャビティの内部に配置するステップと、を含んでもよい。いくつかの構成では、方法は、受信器の少なくとも１つと少なくとも第１の光ファイバの１つとを光学的に位置合わせするステップと、送信器の少なくとも１つと少なくとも第２の光ファイバの１つとを光学的に位置合わせするステップと、を含んでもよい。いくつかの構成では、方法は、第１のフェルールアセンブリを第１のアライメントスリーブに固定するステップと、第２のフェルールアセンブリを第２のアライメントスリーブに固定するステップと、を含んでもよい。
【０１０９】
いくつかの構成では、方法は、受信器のそれぞれを第１の光ファイバの１つと光学的に位置合わせするステップと、送信器のそれぞれを第２の光ファイバの１つと光学的に位置合わせするステップとを含んでもよい。いくつかの構成では、方法は、第１のアライメントスリーブをＲＯＳＡハウジングに固定するステップと、第２のアライメントスリーブをＴＯＳＡハウジングに固定するステップと、を含んでもよい。いくつかの構成では、方法は、第１の光ファイバ及び第１のフェルールアセンブリの一部分の周りに第１のブーツを配置するステップと、第２の光ファイバ及び第２のフェルールアセンブリの一部分の周りに第２のブーツを配置するステップと、を含んでもよい。いくつかの構成では、方法は、コネクタ前部とコネクタ後部との間に延びるコネクタ本体であって、コネクタ本体は、コネクタ前部において第１の光ファイバ及び第２の光ファイバを受け入れ、第１の光ファイバ及び第２の光ファイバはコネクタ本体によって少なくとも部分的に囲まれた状態で保持される、コネクタ本体と、複数のファイバカップリングを有する光ファイバ接続部であって、第１の光ファイバ及び第２の光ファイバは、コネクタ本体内において、コネクタ前部からコネクタ後部の光ファイバ接続部へと延びている、光ファイバ接続部と、コネクタ前部に配置された第１の光ファイバ及び第２の光ファイバの一部分を囲むファイバスリーブと、第１の開口部及び第２の開口部であって、第１の開口部及び第２の開口部はコネクタ本体内において、コネクタ前部からコネクタ後部へと延びている、第１の開口部及び第２の開口部と、又はコネクタ前部に配置されたコネクタ本体の周縁部であって、周縁部は、コネクタ本体の残りの部分の少なくとも１つの対応する寸法よりも大きな少なくとも１つの寸法を含んでもよい、周縁部と、の１つ以上を有するコネクタサブアセンブリ設けるステップを含んでもよい。いくつかの構成では、方法は、コネクタサブアセンブリを第１の光ファイバと第２の光ファイバとに結合するステップを含んでもよい。
【０１１０】
いくつかの構成では、第１の基板又は第２の基板は、ボトム層と、頂部薄膜信号線を有するトップ層と、トップ層とボトム層との間にある、厚膜トレースを有する１つ以上の中間層であって、厚膜トレースは、頂部薄膜信号線に電気的に結合されていてもよい、１つ以上の中間層と、第１の基板の少なくとも一部分内に延びているビアであって、ビアは頂部薄膜信号線及び／又は厚膜トレースに電気的に結合されている、ビアと、又はボトム層上の少なくとも１つの底部電気部品であって、底部電気部品はビアと動作的に結合されている、底部電気部品と、の１つ以上を含んでもよい。
【０１１１】
記載されている例は例示であり、限定ではない。本開示の態様は図示したもの以外の形態で具現化してもよい。請求される対象の範囲は前述の記載よりもむしろ添付の特許請求の範囲によって示される。特許請求の範囲と等価の意味及び範囲内のあらゆる変更はその範囲内に含まれる。
【図１Ａ】
0006357588.tif 000002
【図１Ｂ】
0006357588.tif 000003
【図２Ａ】
0006357588.tif 000004
【図２Ｂ】
0006357588.tif 000005
【図２Ｃ】
0006357588.tif 000006
【図３Ａ】
0006357588.tif 000007
【図３Ｂ】
0006357588.tif 000008
【図３Ｃ】
0006357588.tif 000009
【図４Ａ】
0006357588.tif 000010
【図４Ｂ】
0006357588.tif 000011
【図５Ａ】
0006357588.tif 000012
【図５Ｂ】
0006357588.tif 000013
【図６Ａ】
0006357588.tif 000014
【図６Ｂ】
0006357588.tif 000015
【図７Ａ】
0006357588.tif 000016
【図７Ｂ】
0006357588.tif 000017
【図７Ｃ】
0006357588.tif 000018
【図８Ａ】
0006357588.tif 000019
【図８Ｂ】
0006357588.tif 000020
【図８Ｃ】
0006357588.tif 000021
【図８Ｄ】
0006357588.tif 000022
【図９Ａ】
0006357588.tif 000023
【図９Ｂ】
0006357588.tif 000024
【図１０Ａ】
0006357588.tif 000025
【図１０Ｂ】
0006357588.tif 000026